(57)【要約】  本発明のハンドヘルド照明装置は、光源（１８）と、前記光源のオンとオフとを切換えるスイッチング装置（２６）とを備えるハンドヘルド照明装置であって、前記スイッチング装置（２６）は、音声を解析及び／又は生成する音声処理装置（３４）を備えるハンドヘルド照明装置。【選択図】図２
2017517858.tif 000002
【特許請求の範囲】
【請求項１】
光源（１８）と、前記光源のオンとオフとを切換えるスイッチング装置（２６）とを備えるハンドヘルド照明装置であって、
前記スイッチング装置（２６）は、発話を解析及び／又は生成する音声処理装置（３４）を備えるハンドヘルド照明装置。
【請求項２】
請求項１に記載のハンドヘルド照明装置であって、
前記音声処理装置（３４）は、予め定められたコードワードを検出し、認識された前記コードワードに応じて前記光源（１８）をオンに切換えるハンドヘルド照明装置。
【請求項３】
請求項１または２に記載のハンドヘルド照明装置であって、
前記音声処理装置（３４）は、予め定められたコードワードが認識された場合、前記光源（１８）をオフに切換えるハンドヘルド照明装置。
【請求項４】
請求項１〜３の何れか１項に記載のハンドヘルド照明装置であって、
前記音声処理装置（３４）は、前記光源（１８）の状態に関連する所定の条件下で会話文を生成して出力するハンドヘルド照明装置。
【請求項５】
請求項１〜４の何れか１項に記載のハンドヘルド照明装置であって、
前記ハンドヘルド照明装置を中に入れて持ち運ぶ入れ物が開いているか閉じているかを検出する状態センサ（２０）を備えるハンドヘルド照明装置。
【請求項６】
請求項５に記載のハンドヘルド照明装置であって、
前記スイッチング装置（２６）は、前記状態センサ（２０）が前記入れ物が閉じた状態であることを検出した場合に、前記光源（１８）をオフに切換えるハンドヘルド照明装置。
【請求項７】
請求項５又は６に記載のハンドヘルド照明装置であって、
前記スイッチング装置（２６）は、前記状態センサ（２０）が前記入れ物が開いた状態であることを検出した場合のみ、前記音声処理装置（３４）を作動させるハンドヘルド照明装置。
【請求項８】
請求項１〜７の何れか１項に記載のハンドヘルド照明装置であって、
前記音声処理装置（３４）は、会話文を記録し、後にこの会話文を認識及び／又は生成するために保存するハンドヘルド照明装置。
【発明の詳細な説明】
【技術分野】
【０００１】
本発明は、光源と、当該光源のオンとオフとを切換えるスイッチング素子とを備えるハンドヘルド照明装置に関するものである。より具体的には、本発明は、ハンドバック等の入れ物の内部を照らすハンドバッグライトに関するものである。
【背景技術】
【０００２】
欧州特許出願公開第０９５８７５６号明細書（ＥＰ  ０  ９５８  ７５６  Ａ１）及び独国特許第１０２０１００４４３２０号明細書（ＤＥ  １０  ２０１０  ０４４  ３２０  Ｂ４）には、スイッチング素子がタッチセンサや近接センサの信号に応じるタイプの照明装置が記載されている。ユーザーが、開いたハンドバッグの中の物を探すために、ハンドバッグの中に手を入れてその照明装置に触れた時、光源は、ハンドバッグの中を照らすために自動的にオンになる。
【０００３】
入れ物が開いているか閉じているかを検出する他のセンサを用い、入れ物が再び閉じた時に光源が自動的にオフになるようにした照明装置も知られている。
【先行技術文献】
【特許文献】
【０００４】
【特許文献１】欧州特許出願公開第０９５８７５６号明細書
【特許文献２】独国特許第１０２０１００４４３２０号明細書
【発明の概要】
【発明が解決しようとする課題】
【０００５】
本発明の課題は、そのような照明装置の機能性を向上させることである。
【課題を解決するための手段】
【０００６】
この課題を解決するために、スイッチング素子は、発話を解析及び／又は生成する音声処理装置を備える。
【０００７】
光源は、場合によって、単に、適したコードワード（コード化された語）が話されることによって、オンになったり、オフになったりしてもよい。音声処理装置の「辞書」は、１個のみ又は何個かの語を含む必要があり、これにより、音声処理装置に必要とされる処理能力とプログラミングの労力とが低くなる。
【０００８】
特に、コードワードは、例えば、会社名や広告主の商標であってもよいので、本発明により、照明装置は広告媒体やギフト広告として魅力的になる。その宣伝効果は、照明装置のデザインによってさらに向上してもよい。例えば、そのコードワードがスポーツカーの商標である場合、照明装置は、このスポーツカーの模型として設計されてもよい。
【０００９】
他の態様の音声処理装置は、照明装置が作動又は作動停止になった時に短い会話文を生成するのに使われてもよい。ここで、照明装置の作動と作動停止とは、任意にタッチセンサ等を用いて従来の方法により行われてもよい。
【００１０】
両方の態様が組み合わされる場合、ユーザーと照明装置との間の短い「対話」も可能になる。
【００１１】
本発明の有用な詳細および本発明のさらなる改良は、従属項において示されている。
【図面の簡単な説明】
【００１２】
実施例を、以下の図を参照して説明する。
【００１３】
【図１】図１は、本発明による照明装置の図である。
【図２】図２は、図１の照明装置の簡略化した回路図である。
【発明を実施するための形態】
【００１４】
図１に示す照明装置は、２つのハーフシェル１２、１４によって形成された楕円型（卵型）又は円盤状のケーシング１０を備える。２つのハーフシェル１２、１４は、共にフレーム１６によって保持されている。ハーフシェル１２、１４の外表面は、発光スクリーンとして構成され、図２に簡略型の回路記号で示された光源１８を構成している。この発光スクリーンは、例えば、半透明の光拡散保護層の背後にあるＬＥＤの細かいラスターによって形成されてもよい。
【００１５】
本実施例で示されている少なくとも一つの状態センサ２０は、通常は照明装置を中に入れて持ち運ぶハンドバッグ等の入れ物（不図示）が開いているか閉じているかを検出する目的で、ケーシング１０に収容されている。本実施例で示されている状態センサ２０は、バッグが開いた時にバッグに入る光を検出する環境光センサである。
【００１６】
マイクロフォン２２とスピーカ２４とは、ケーシング１０のフレーム１６に配置されている。さらに、このケーシング１０は、図２の回路図のみに示されている電子スイッチング装置２６及びバッテリ２８を備えている。
【００１７】
電子スイッチング装置２６は、第１のスイッチング装置３０と、第２のスイッチング装置３２とを備えている。第１のスイッチング装置３０は、バッテリ２８から連続的に電力を供給され、状態センサ２０からの信号に応答する。第２のスイッチング装置３２は、マイクロフォン２２とスピーカ２４とに接続された音声処理装置３４を含んでいる。第２のスイッチング装置３２及び光源１８は、バッテリ２８からスイッチ３６を経由する電力のみが供給される。このスイッチ３６は、第１のスイッチング装置３０により制御される。その他のスイッチ３８は、第２のスイッチング装置３２により制御され、スイッチ３６が閉じている間、光源１８をオン／オフするスイッチとして機能する。
【００１８】
第１のスイッチング装置３０の電力消費は、バッテリ２８の負荷が低くなるように、非常に少なくなっている。ハンドバッグが開き、そのハンドバッグの中に照明装置が入っている時のみ、第１のスイッチング装置３０が、第２のスイッチング装置３２にも電力が供給されるように、スイッチ３６を閉じる。その後、ユーザーが適したコードワードを聞き取れるように話すと、音声信号が、マイクロフォン２２により取り込まれ、音声処理装置３４により解析される。実際に、その音声信号が予め定められたコードワードであった場合、第２のスイッチング装置３２がスイッチ３８を閉じることによって、光源１８がオンになる。
【００１９】
音声処理装置３４は、スピーカ２４から発話として出力される短い応答文を生成するようにプログラムされていてもよい。
【００２０】
必要に応じて、第２のスイッチング装置３２は、同じコードワード又は２番目のコードワードが入力されることによって光源１８が再びオフになるように構成されてもよい。
【００２１】
他方、光源１８は、ハンドバッグが再び閉じたことを状態センサ２０が検出した時にオフになってもよい。この場合、第１のスイッチング装置３０がスイッチ３６を開くことにより、第２のスイッチング装置３２への電力供給が遮断されると共に、スイッチ３８が開くように、スイッチ３８を閉じた状態に維持する信号がオフになる。
【００２２】
状態センサ２０が環境光センサである場合、状態センサ２０を、光源１８からの光から遮断されるように配置しなければならない。またはこれに代えて、スイッチング装置を、例えば、人の目では視覚されないほど短い或る一定の間隔で、光源１８の光を変調するように構成してもよい。この時間間隔で、環境光センサはバッグが閉じているか否かを検出できる。
【００２３】
他の形態の状態センサ２０は、タッチセンサ、近接センサ、又は加速度センサとして構成されてもよい。後者の場合、ユーザーが、例えば、手をハンドバッグに入れたり、そっとハンドバッグを振ったりすることにより、照明装置がオンになるようにしてもよい。
【００２４】
他の形態の状態センサ２０及び第１のスイッチング装置３０は、省略されてもよく、その機能又はその機能の少なくとも一部は、第２のスイッチング装置３２によって実行されてもよい。例えば、第２のスイッチング装置２８は、通常は、マイクロフォン２２が音響信号を受信したかどうかを、例えば、数１０又は数１００ｍｓｅｃのクロック速度の短い時間間隔で確認するのみの電力消費の少ないスリープモードになるように構成されてもよい。音響信号が検出されている時のみ、音声処理装置３４は、その音響信号がコードワードであるかどうかを確認するために作動される。
【００２５】
コードワード又は一組のコードワードは、音声処理装置３４に恒久的に格納されてもよい。他の形態において、音声処理装置３４は、特別のトレーニングモードにおいて幾つかのコードワードを「学習」できるように構成されてもよい。この場合、照明装置は、コードワードの選択に関する限りは、個別に構成されてもよい。さらに、音声処理装置３４は、ハンドバッグが開閉される時に出る特有のカチッという音に対応するように「学習」することにより、状態センサ２０の機能を実行してもよい。
【００２６】
簡略化された形態のスイッチング装置は、一定時間の経過後に自動的に消光するように構成されてもよい。
【図１】
2017517858.tif 000003
【図２】
2017517858.tif 000004
【国際調査報告】
2017517858.tif 000005
2017517858.tif 000006
2017517858.tif 000007
2017517858.tif 000008
2017517858.tif 000009
2017517858.tif 000010
2017517858.tif 000011
2017517858.tif 000012